(57)【特許請求の範囲】
【請求項１】
壜口筒(23)に、外嵌して乗り越え係止する組付き筒(3)を有すると共に、密嵌装して注出口を形成するキャップ本体(2)と、該キャップ本体(2)に着脱自在に螺合して、前記注出口を開閉する有頂筒形状の外キャップ体(14)とから構成され、前記組付き筒(3)の、前記壜口筒(23)の係止機能部分に対向する部分の外周面箇所に、第１係止部(5)を形成し、閉状態で前記組付き筒(3)に外装する外キャップ体(14)の外装筒(19)の下端に、前記壜口筒(23)のネックリング(25)の下位まで下降変位可能に該ネックリング(25)の外径よりも大きい内径を有し、前記第１係止部(5)に下方から係止する第２係止部(22)を設けた係止筒(21)を、複数の破断片(20)を介して一体に連設し、前記係止筒(21)のネックリング(25)の下位までの下降変位により、前記組付き筒(3)が拡径方向に撓み変形可能に、前記係止筒(21)の上端が前記組付き筒(3)の下端より下位まで下降する構成とし、さらに前記壜口筒(23)に対するキャップ本体(2)の組付き強度を、内容液のウオーターハンマーの力で外れることがないと共に、前記壜口筒(23)に対して空回りすることがない範囲で、人手によるもぎ取り状の取り外しが可能に設定した合成樹脂製注出キャップ。
【請求項２】
壜口筒(23)に対するキャップ本体(2)の組付き強度の設定手段を、組付き筒(3)の肉厚とした、請求項１記載の合成樹脂製注出キャップ。
【請求項３】
壜口筒(23)に対するキャップ本体(2)の組付き強度の設定手段を、組付き筒(3)の少なくとも下端部に割溝(4a)を設けることとした請求項１記載の合成樹脂製注出キャップ。
【請求項４】
外キャップ体(14)の係止筒(21)を、キャップ本体(2)の第１係止部(5)から壜口筒(23)のネックリング(25)までの高さ幅とした、請求項１、２又は３記載の合成樹脂製注出キャップ。
【請求項５】
第２係止部(22)を、係止筒(21)の内面に突設した、第１係止部(5)に乗り越え可能な周突条(26)とした請求項１、２、３又は４記載の合成樹脂製注出キャップ。
【請求項６】
第１係止部(5)又は第２係止部(22)のどちらか一方若しくは双方を、断続した周突条状構造とした請求項１、２、４又は５記載の合成樹脂製注出キャップ。
【請求項７】
第２係止部(22)を、係止筒(21)の内方、かつ、斜め上方に突出した弾性変位可能な複数の弾性片(27)とした請求項１、２、３、４又は５記載の合成樹脂製注出キャップ。
【請求項８】
組付き筒(3)の下端縁とネックリング(25)との間に、硬貨の周端部が侵入可能な間隙を形成した請求項１、２、３、４、５、６又は７記載の合成樹脂製注出キャップ。
【請求項９】
第２係止部(22)を含めた係止筒(21)の最小内径値をネックリング(25)の外径よりも大きい値に設定した請求項１、２、３、４、５、６、７又は８記載の合成樹製注出キャップ。
【請求項１０】
キャップ本体(2)と外キャップ体(14)とを異色とした請求項１、２、３、４、５、６、７、８又は９記載の合成樹脂製注出キャップ。
【請求項１１】
キャップ本体(2)に形成される注出口を内容液の注出をガイドすべく設けた注出筒(10)の底壁である封止壁(11)に、閉ループを描く破断溝(13)により区画形成された、プルリングを有する抜栓部(12)の破断除去により開設される、プルオープン式の注出口とした請求項１、２、３、４、５、６、７、８、９又は１０記載の合成樹脂製の注出キャップ。
【発明の詳細な説明】
【０００１】
【発明の属する技術分野】
本発明は、壜体の口筒に組付けられ、内容液の注出口を開設したキャップ本体と、このキャップ本体の注出口を開閉する外キャップ体とから構成され、廃棄時に分別回収が有利であるように構成した、不正開封防止機能付き合成樹脂製注出キャップに関するものである。
【０００２】
【従来の技術】
合成樹脂製壜容器の再利用を効率よく実施できるようにするために、廃棄される合成樹脂製品を分別回収することが求められており、その一つとして、壜容器の壜口筒に組付けられて注出口を形成する注出キャップを、壜容器の破棄時に、壜容器から簡単に分離できるようにした従来技術として、特開平１１−２５５２５１号公報に開示された技術がある。
【０００３】
この従来技術は、壜口筒に、外嵌して乗り越え係止する組付き筒を有し、密嵌装して注出口を形成するキャップ本体と、このキャップ本体に着脱自在に螺合して、キャップ本体の注出口を開閉する外キャップ体とから構成され、キャップ本体の組付き筒の、複数の縦割溝を下端部に設けた、壜口筒との係止機能部分の外周に第１係止部となる係止凹嵌部とを一体に形成し、この組付き筒に外嵌する外キャップ体の外装筒の下端に、複数の破断片を介して、組付き筒の係止凹嵌部に、上方に抜け出し不能に、かつ引き下げ操作により下方に乗り越え可能に係止する第２係止部を有する係止筒を連設して構成されている。
【０００４】
この従来技術にあっては、外キャップ体の外装筒からの係止筒の分離により、不正開封防止作用を発揮するようにし、組付き筒の下端部に対する係止筒の係止により、キャップ本体の壜口筒に対する組付きを強固に維持し、組付き筒の下端部から係止筒が、下方に離脱することにより、キャップ本体の壜口筒からの離脱を容易に達成できるようにしている。
【０００５】
【発明が解決しようとする課題】
しかしながら、上記した従来技術にあっては、キャップ本体の組付き筒の下端が露出した状態となっているので、ドライバー等の硬質物の先端部分を、この組付き筒と壜口筒との間に差し込んで、こじり開け状にキャップ本体を壜口筒から分離させることが簡単にできてしまう、と云う問題があった。
【０００６】
また、キャップ本体の組付き筒下端部に、壜口筒に対する係止機能部分と、外キャップ体の第２係止部を嵌合させて係止筒の上昇を阻止するとともに、係止筒の自由移動を阻止して強制移動を許容する第１係止部となる係止凹部とを、一体に形成する必要があり、構造が複雑になる、と云う問題があった。
【０００７】
さらに、破断片の破断後も、係止筒の組付き筒下端部に対する組付きに変化がないので、破断片の破断前と後とで、組付き筒に対する係合筒の組付き位置に大きな変化がなく、このため外観から破断片の破断を認識することが難しく、不正開封防止効果が発揮され難い場合がある、と云う問題があった。
【０００８】
そこで、本発明は、上記した従来技術における問題点を解消すべく創案されたもので、硬質物を使用した不正なこじり開けを不能とすると共に、構造を簡単にし、さらに不正開封防止効果を明確に発揮できるようにすることを技術的課題とし、もって商品としての安全性を高めると共に、製造コストの低減を無理なく達成することを目的とする。
【０００９】
【課題を解決するための手段】
上記技術的課題を解決する本発明の内、請求項１記載の発明の手段は、壜口筒に、外嵌して乗り越え係止する組付き筒を有すると共に、密嵌装して注出口を形成するキャップ本体を有すること、このキャップ本体に着脱自在に螺合して、キャップ本体の注出口を開閉する有頂筒形状の外キャップ体を有すること、キャップ本体の組付き筒の、壜口筒の係止機能部分に対向する部分の外周面箇所に、第１係止部を形成すること、閉状態で、キャップ本体の組付き筒に外装する外キャップ体の外装筒の下端に、壜口筒のネックリングの下位まで下降変位可能にこのネックリングの外径よりも大きい内径を有し、第１係止部に下方から係止する第２係止部を設けた係止筒を、複数の破断片を介して一体に連設すること、
前記係止筒のネックリングの下位までの下降変位により、組付き筒が拡径方向に撓み変形可能に、係止筒の上端が組付き筒の下端より下位まで下降変位可能な構成とすること、
壜口筒に対するキャップ本体の組付き強度を、内容液のウオーターハンマーの力で外れることがないと共に、壜口筒に対して空回りすることがない範囲で、人手によるもぎ取り状の取り外しが可能に設定すること、にある。
【００１０】
注出キャップを壜口筒に組付けた状態では、キャップ本体の注出口を、このキャップ本体に螺合組付きした外キャップ体が密閉し、またキャップ本体の組付き筒に外嵌した外キャップ体の係止筒が、その第２係止部を、キャップ本体の組付き筒の外周面に形成された第１係止部に、下方から係止させている。
【００１１】
この状態から外キャップ体を螺脱回動させると、上昇変位する外キャップ体の本体筒と外装筒の組合せ物に対して、係止筒は、第１係止部と第２係止部との係止により、上昇変位不能となっているので、破断片が破断される。
【００１２】
破断片が破断されると、係止筒は、自重により下方に落下変位して、破断片の破断前とその位置が大きく変化するので、この係止筒の大きな位置変化により、破断片の破断を明確に認識することができ、不正開封防止機能が確実に発揮されることになる。
【００１３】
この際、係止筒の内径がネックリングの外径よりも大きいので、係止筒の落下変位動作がネックリングにより邪魔されることがなく、係止筒は確実に、かつ円滑に落下変位する。
【００１４】
注出キャップを、壜口筒から分別して回収するに際しては、キャップ本体を掴んで、そのままもぎ取り力を作用させて、組付き筒を拡径方向に撓み変形させることにより、壜口筒から強引にもぎ取る。
【００１５】
この際、壜口筒に組付いているキャップ本体に、外キャップ体の本体筒と外装筒との組合せ物を螺合組付けしておくと、手による注出キャップの掴みが、良好な状態で達成される。
【００１６】
キャップ本体を壜口筒からもぎ取ったならば、係止筒を壜口筒から引き上げ離脱させて、注出キャップの壜口筒からの分別を完了する。
【００１７】
なお、破断片の破断前においては、キャップ本体の組付き筒に外キャップ体の係止筒が外嵌しているので、組付き筒はその拡径変形を阻止された状態となっており、このためキャップ本体の壜口筒に対する嵌装組付きが安定して確保されることになる。
【００１８】
請求項２記載の発明は、請求項１記載の発明の構成に、壜口筒に対するキャップ本体の組付き強度の設定手段を、キャップ本体の組付き筒の肉厚としたこと、を加えたものである。
【００１９】
この請求項２記載の発明にあっては、キャップ本体の組付き筒の肉厚を薄くすると、外力による拡径方向への撓み変形しやすくなり、逆に厚くすると変形しにくくなるので、この肉厚を適正に設定することにより、壜体筒に対するキャップ本体の組付き強度を適正な範囲に設定することが、特別な構造を付加することなく達成される。
【００２０】
請求項３記載の発明は、請求項１記載の発明の構成に、壜口筒に対するキャップ本体の組付き強度の設定手段を、キャップ本体の組付き筒の少なくとも下端部に割溝を設けることとしたこと、を加えたものである。
【００２１】
請求項３記載の発明にあっては、割溝の個数や、溝長さ等の形状により、外力による組付き筒の拡径方向への撓み変形程度を設定し、壜口筒に対するキャップ本体の組付き強度を適正な範囲に精度高く設定することができる。
【００２２】
請求項４記載の発明は、請求項１、２又は３記載の発明の構成に、外キャップ体の係止筒を、キャップ本体の組付き筒の第１係止部から壜口筒のネックリングまでの高さ幅としたこと、を加えたものである。
【００２３】
請求項４記載の発明にあっては、キャップ体の係止筒が、組付き筒の下端縁とネックリングとの間に形成される隙間を覆い隠すことになり、これにより組付き筒の下端縁とネックリングとの間に形成される隙間にドライバー等の硬質物を差し込んで、注出キャップを壜口筒から不正にこじ開け分離させるのを防止できる。
【００２４】
請求項５記載の発明は、請求項１、２、３又は４記載の発明の構成に、第２係止部を、第１係止部を乗り越え可能に、外キャップ体の係止筒の内方に突設した周突条としたこと、を加えたものである。
【００２５】
請求項５記載の発明にあっては、第２係止部を単純形状である周突条としたため、第２係止部の構造が簡単なものとなり、壜口筒、キャップ本体及び外キャップ体の相互組付を精度良くするために、精密に形成する必要がある外キャップ体の形成が容易となる。
【００２６】
請求項６記載の発明は、請求項１、２、４又は５記載の発明の構成に、キャップ本体の第１係止部又は外キャップ体の第２係止部のどちらか一方若しくは双方を、断続した周突条状構造としたこと、を加えたものである。
【００２７】
請求項６記載の発明にあっては、第１係止部又は第２係止部のどちらか一方又は双方が断続した周突条状構造となっていると、肉厚となっている第１係止部又は第２係止部が、拡径し易くなり、外キャップ体を組付けた状態のキャップ本体の壜口筒への組付けが容易となる。
【００２８】
なお、断続した周突条状構造とは、対向する二箇所、または等間隔の複数箇所に、周突条が除去されて、途切れた部分を有する周突条状構造をいう。
【００２９】
請求項７記載の発明は、請求項１、２、３、４、又は５記載の発明の構成に、第２係止部を、外キャップ体の係止筒の内方、かつ、斜め上方に突出する弾性変位可能な複数の弾性片としたこと、を加えたものである。
【００３０】
請求項７記載の発明にあっては、弾性片である第２係止部が、無理なくキャップ本体の第１係止部を乗り越えて、破断しやすい破断片を破断することなく、下方から確実に弾性片を第１係止部に係止させることができる。
【００３１】
請求項８記載の発明は、請求項１、２、３、４、５、６又は７記載の発明の構成に、キャップ本体の組付き筒の下端縁とネックリングとの間に、硬貨の周端部が侵入可能な間隙を形成したこと、を加えたものである。
【００３２】
この請求項８記載の発明にあっては、力の弱い人でも、硬貨等の身近な硬質物を使用して、キャップ本体の壜口筒からの分離を、こじ開け状に簡単に達成することができる。
【００３３】
請求項９記載の発明は、請求項１、２、３、４、５、６、７又は８記載の発明の構成に、第２係止部を含めた外キャップ体の係止筒の最小内径値を、ネックリングの外径よりも大きい値に設定したこと、を加えたものである。
【００３４】
この請求項９記載の発明にあっては、破断片の破断により下降変位する係止筒の下降変位が、ネックリングに邪魔されることなく、充分な量となるので、不正開封防止機能が、より明確に発揮されることになると共に、キャップ本体の組付き筒とネックリングとの間の間隙を確実に露出させる。
【００３５】
請求項１０記載の発明は、請求項１、２、３、４、５、６、７、８又は９記載の発明の構成に、キャップ本体と外キャップ体とを異色とした、ことを加えたものである。
【００３６】
この請求項１０記載の発明にあっては、破断片を破断して、外キャップ体の係止筒が、下降限まで下降変位するので、外キャップ体の下側に異色のキャップ本体の組付き筒の下部が露出して目立つことになり、これにより不正開封防止機能がより効果的に発揮されることになる。
【００３７】
請求項１１記載の発明は、請求項１、２、３、４、５、６、７、８、９又は１０記載の発明の構成に、キャップ本体に形成される注出口を、内容液の注出をガイドすべく設けた注出筒の底壁としての封止壁に、閉ループを描く破断溝により区画形成された、プルリング等を有する抜栓部の破断除去により開設される、プルオープン式の注出口とした、ことを加えたものである。
【００３８】
この請求項１１記載の発明にあっては、注出口の開設までの壜容器の密閉を、確実にかつ強固に達成維持することができる。
【００３９】
【発明の実施の形態】
以下、本発明の一実施例を、図面を参照しながら説明する。
注出キャップ１は、ポリプロピレン樹脂もしくは低密度ポリエチレン樹脂製のキャップ本体２と外キャップ体１４とから構成されている。
【００４０】
キャップ本体２は、壜口筒２３に外嵌し、ネックリング２５との間に、硬貨の周端部が侵入できる間隙を形成する高さに成形された組付き筒２の上端に、内鍔状の頂壁６を介して、外周面に螺条を刻設した螺合筒７を立設し、この螺合筒７の上端に内鍔片９を介して、上端部をラッパ状に拡径した有底筒状の注出筒１０を連設し、この注出筒１０の底壁である封止壁１１に、閉ループ状に形成された破断溝１３により区画形成された、プルリング等を有する抜栓部１２を形成して構成されている。
【００４１】
壜口筒２３に外嵌する組付き筒３は、その内周面下端部に、壜口筒２３の開口部外周に設けられた係止周条２４に乗り越え係止する係止突条４を設けて、壜口筒２３に対する係止機能部分を構成し、この係止突条４に隣接する上位の外周面箇所となる、係止周条２４に外側から対向する部分の外周面箇所に、周突条状構造の第１係止部５を形成している。
【００４２】
キャップ本体２の壜口筒２３への組付き強度は、組付き筒３の肉厚により、内容液のウオーターハンマーの力で外れることがないと共に、壜口筒２３に対して空周りすることがない範囲、およびプルリングを有する抜栓部１２の破断除去操作により外れることがない範囲で、かつ、外キャップ体１４の係止筒２１が離脱した状態で、人手によるもぎ取り状の取り外しができる範囲となるように設定している。
【００４３】
なお、螺合筒７を垂下状に延長設されたシール筒８は、壜口筒２３に密嵌入することにより、キャップ本体２の壜口筒２３に対する組付きを、充分に密になるようにしている。
【００４４】
外キャップ体１４は、注出筒１０の開口端に密嵌入する栓筒片１７を下面に垂下設した頂板１５の周端縁から、螺合筒７に螺合する本体筒１６を垂下設し、この本体筒１６の下端に、外鍔片１８を介して、組付き筒３に外嵌する外装筒１９を垂下設し、この外装筒１９の下端に、破断し易い複数の破断片２０を介して、第１係止部５を乗り越えて下方から係止する、第２係止部２２となる周突条２６を内面に設けた係止筒２１を連設して構成されている。
【００４５】
キャップ本体２の第１係止部５の断続した周突条状構造とすると、若しくは、外キャップ体１４の第２係止部２２を断続した周突条２６とすると、又は、キャップ本体２の第１係止部５及び外キャップ体１４の第２係止部２２の双方を断続した周突条状構造とすると、肉厚となるキャップ本体２の第１係止部５若しくは外キャップ体１４の第２係止部２２が、拡径しやすくなり、外キャップ体１４を組付けた状態のキャップ本体２を壜口筒２３に簡単に組付けることができる。
【００４６】
係止筒２１は、ネックリング２５の外径よりも大きく設定した周突条２６まで含めた最小内径値を有しているので、図２の開封前の状態では、周突条２６を第１係止部５に下方から略当接させ、係止筒２１の下端部をネックリング２５の外周面に対向させることになり、破断片２０の破断時には、ネックリング２５に邪魔されることなく、確実に落下変位する。
【００４７】
このため、係止筒２１は、特に周突条２６で組付き筒３を外側から押さえて、この組付き筒３の妄りな拡径変形の発生を阻止し、これによりキャップ本体２の壜口筒２３に対する安定した嵌装組付きを達成維持する。
【００４８】
また、係止筒２１は、第１係止部５からネックリング２５までの高さ幅を有して、組付き筒３とネックリング２５との間に形成される間隙を覆い隠すため、キャップ本体２を直接こじ開け状に分離させようとする、不正処理を不能としている。
【００４９】
破断片２０が破断した際は、図３に示すように、係合筒２１は、その自重により、ネックリング２５の下位まで下降変位することになり、これにより第２係止部２２がネックリング２５に引っ掛かって、係止筒２１の上端が組付き筒３の下端部に外装したままとなって、組付き筒３の拡径変形が不能となる、と云う不都合の発生を防止する。
【００５０】
最初に内容液を注出使用する際には、外キャップ体１４を螺脱方向に回して取り外し、プルリングを引っ張り抜栓部１２を破断除去するが、この際、抜栓部１２の破断除去操作により、キャップ本体２が壜口筒２３から外れることがない範囲となるように、組付き筒３の肉厚を設定しているため、組付き筒３が拡径方向に大きく変形し難く、係止突条４が係止周条２４を乗り越えて外れることを防止している。
【００５１】
一方、壜口筒２３から注出キャップ１を分別する際には、外キャップ体１４を螺着させた状態でキャップ本体２に、人手によるもぎ取り力を作用させると、人手によるもぎ取り状の取り外しができる程度に設定した肉厚の組付き筒３が、拡径方向に充分に撓み変形し、力の弱い人でも簡単に注出キャップ１を取り外すことができる。
【００５２】
注出キャップ１を分別する際には、外キャップ体１４を螺着させた状態でキャップ本体２をもぎ取り状に分別しても良いのであるが、図３に二点鎖線で示すように、組付き筒３とネックリング２５との間の間隙に、硬貨の周端部等の身近な硬質物の先端部を差し込み、これで組付き筒３を拡径方向にこじ開けることにより、注出キャップ１を簡単に分別できる。
【００５３】
図４及び図５に示す、第2実施例は、壜口筒２３に対するキャップ本体２の組付き強度を、キャップ本体２の組付き筒３の下端部に設けた割溝４ａにより設定した構成である。キャップ本体２の第１係止部５は、割溝４ａにより断続した周突条状構造となっている。割溝４ａの形成にあたっては、壜口筒２３に対するキャップ本体２の組付き強度が適正な範囲となり、かつ、弱いもぎ取り作用によってキャップ本体２のもぎ取りが可能となる範囲となるように、個数のみならず、長さ、幅等を、壜体容器全体の構造、使用状態を考慮しながら設計する必要がある。
【００５４】
壜口筒２３から注出キャップ１を分別する際は、外キャップ体１４を螺着させた状態でキャップ本体２に、人手によるもぎ取り力を作用させると、弱いもぎ取り力であっても、組付き筒３が割溝４ａにより拡径方向に充分に撓み変形するため、力の弱い人でも簡単に注出キャップ１を取り外すことができる。
【００５５】
図６及び図７に示す、第３実施例は、外キャップ体１４の係止筒２１に設けた第２係止部を、係止筒２１の内方、かつ、斜め上方に突設した弾性片２７とした構成である。
【００５６】
弾性片２７は、係止筒２１の下端部に、下方から上方に切り込みを形成して複数のフラップ片状としたものを、ネックリング２５の高さ位置で、係止筒２１の内方の斜め上方に突出するように折り曲げて形成している。なお、弾性片２７は、係止筒２１の内周面の下部から斜め上方に向けた複数の突片を突設したものでもよい。
【００５７】
キャップ本体２に外キャップ体１４を組付ける際に、図６に示すように、弾性片２７が弾性変位し、係止筒２１に連設されている破断し易い複数の破断片２０を破断することなく、無理なく第１係止部５を乗り越えて、キャップ本体２に外キャップ体１４を螺合組付けする。
【００５８】
開封する際には、弾性片２７が第１係止部５の下方から確実に係止し、係止筒２１の上昇を阻止しているので、図７に示すように、破断片が確実に破断され、ネックリング２５に邪魔されることなく、係止筒２１が確実に落下変位する。
【００５９】
【発明の効果】
本発明は、上記した構成となっているので、以下に示す効果を奏する。
請求項１記載の発明にあっては、キャップ本体の壜口筒に対する組付き強度を、人手によるもぎ取り状の取り外しができる程度としたので、注出キャップの壜口筒からの分別を、簡単に達成することができる。
【００６０】
また、キャップ本体の組付き筒の下端と壜口筒のネックリングとの間の間隙を外キャップ体の係合筒が覆い隠すので、ドライバー等の硬質物を使用しての注出キャップの不正分別を困難なものとすることができ、これにより注出キャップを組付けた壜容器の安全性を、充分にそして確実に高めることができる。
【００６１】
そして、壜口筒に対する係止機能部分と、キャップ本体と外キャップ体との係止機能部分とを全く別個に形成し、かつ組付き筒を撓み変形を利用した分別が可能な単純円筒状に構成したので、その構造を簡単なものとすることができ、もって簡単にかつ安価に製造することができる。
【００６２】
さらに、外キャップ体の係止筒は、破断片の破断後に、自重により下降変位することが可能であるので、この下降変位により破断片の破断を明確に認識させることができ、もって不正開封防止機能を明確に発揮することができ、壜容器の安全性を高めることができる。
【００６３】
請求項２記載の発明は、キャップ本体の組付き強度の設定手段を、組付き筒の肉厚としており、特別な構造を付加することなく、組付き強度を制御することができる。
【００６４】
請求項３記載の発明は、割溝を設ける方法であり、壜体容器の構造、使用方法に応じて、組付き強度を適正な範囲に精度高く設定することができる。
【００６５】
請求項４記載の発明は、外キャップ体の係止筒を、第１係止部からネックリングまでの高さ幅としたので、組付き筒の下端縁とネックリングとの間を覆い隠し、組付き筒の下端縁とネックリングとの間の隙間に硬質物を差し込んで、注出キャップを壜口筒から不正にこじ開け分離させるのを防止できる。
【００６６】
請求項５記載の発明にあっては、第２係止部を単純形状である周突条としたので、第２係止部の構造が簡単となり、キャップ体の形成が容易となる。
【００６７】
請求項６記載の発明にあっては、第１係止部又は第２係止部のどちらか一方又は双方を断続した周突条状構造としたため、外キャップ体を組付けた状態のキャップ本体を、容易に壜口筒に組付けることができる。
【００６８】
請求項７記載の発明にあっては、第２係止部を弾性片としたので、破断し易い破断片を破壊することなく、無理なく外キャップ体をキャップ本体に螺合組付けし、確実に弾性片を第１係止部に係止させることができる。
【００６９】
請求項８記載の発明にあっては、硬貨等の身近な硬質物を使用して、キャップ本体の壜口筒からの分離を簡単に達成することができるので、注出キャップの分別回収を、大きな力を要することなく、簡単に行なうことができる。
【００７０】
請求項９記載の発明にあっては、破断片の破断後の係止筒の下降変位が、大きな変位量で確実に行なわれるので、破断片の破断されたことが、一目で認識することができ、これにより高い不正開封防止効果が発揮されることになる。
【００７１】
請求項１０記載の発明にあっては、破断片の破断を、注出キャップの外観の色分布変化として現出するので、きわめて高い不正開封防止効果を発揮する。
【００７２】
請求項１１記載の発明にあっては、注出口開設までの壜容器の密閉を強固に確実に達成維持することができ、もってより高い安全性を得ることができる。
【図面の簡単な説明】
【図１】本発明の一実施例を示す、組立て前の全体斜視図。
【図２】図１に示した実施例の、外キャップ体螺脱前の半縦断面図。
【図３】図１に示した実施例の、外キャップ体螺脱後の半縦断面図。
【図４】本発明の第２実施例示す、キャップ本体の斜視図。
【図５】図４に示した実施例の、外キャップ体螺脱前の半縦断面図。
【図６】本発明の第３実施例を示す、外キャップ体螺脱前の半縦断面図。
【図７】図６に示した実施例の、外キャップ体螺脱後の半縦断面図。
【符号の説明】
１  ；  注出キャップ
２  ；  キャップ本体
３  ；  組付き筒
４  ；  係止突条
４ａ；  割溝
５  ；  第１係止部
６  ；  頂壁
７  ；  螺合筒
８  ；  シール筒
９  ；  内鍔片
１０；  注出筒
１１；  封止壁
１２；  抜栓部
１３；  破断溝
１４；  外キャップ体
１５；  頂板
１６；  本体筒
１７；  栓筒片
１８；  外鍔片
１９；  外装筒
２０；  破断片
２１；  係止筒
２２；  第２係止部
２３；  壜口筒
２４；  係止周条
２５；  ネックリング
２６；  周突条
２７；  弾性片
【図１】
0004235965.tif 000002
【図２】
0004235965.tif 000003
【図３】
0004235965.tif 000004
【図４】
0004235965.tif 000005
【図５】
0004235965.tif 000006
【図６】
0004235965.tif 000007
【図７】
0004235965.tif 000008